(57)【要約】【課題】小石等の異物が駆動部に噛み込んだりする不具合が起こりにくく、使用性及びメンテナンス性に優れた新たなショベル系掘削機用の切断機を提供する。【解決手段】ショベル系掘削機（２）のアーム（３）先端に取り付けられて、横方向に間隔をあけて多数列設されるか、若しくは、横方向に所定の長さを有するように一体となって設けられた切断部（８）（５８）を備え、この切断部（８）（５８）を被切断物に打ち付けるように、切断部（８）（５８）を往復動させるシリンダー機構（４０）（９０）を設けている。【選択図】　図１
2004122373.tif 000002
【特許請求の範囲】
【請求項１】
ショベル系掘削機のアーム先端に取り付けられる切断機であって、横方向に間隔をあけて多数列設されるか、若しくは、横方向に所定の長さを有するように一体となって設けられた切断部と、この切断部を被切断物に打ち付けるように、切断部を往復動させるシリンダー機構とを備えていることを特徴とするショベル系掘削機用の切断機。
【請求項２】
切断機本体に対して横方向に移動可能に設けられたスライド体と、このスライド体を移動させるためのスライド用駆動機構とを備え、前記切断部がスライド体に取り付けられている請求項１記載のショベル系掘削機用の切断機。
【請求項３】
切断機本体に対して昇降可能に設けられた昇降体と、この昇降体を昇降させるための昇降用駆動機構とを備え、前記スライド体が昇降体に取り付けられている請求項２記載のショベル系掘削機用の切断機。
【請求項４】
前記切断機本体は、ショベル系掘削機のアーム先端に旋回機構を介して旋回可能に取り付けられている請求項１乃至３のいずれかに記載のショベル系掘削機用の切断機。
【請求項５】
前記切断機本体を地盤に対して固定するための固定具が設けられている請求項１乃至４のいずれかに記載のショベル系掘削機用の切断機。
【発明の詳細な説明】
【０００１】
【発明の属する技術分野】
この発明は、例えばバックホー等のショベル系掘削機のアーム先端に取り付けるアタッチメントとして使用される切断機に関する。
【０００２】
【従来の技術】
従来より、バックホー等のアーム先端に取り付けて石材やコンクリート等を切断するものとして、特許文献１に開示されているように円盤状のカッターを回転させながら切断する切断装置が公知となっている。
【０００３】
【特許文献１】特開２０００−１０８１１８号公報
【０００４】
【発明が解決しようとする課題】
しかしながら、上記のような切断装置を使用して石材等を切断する場合には、小石等の異物が切断装置内部に入り込みやすく、異物が駆動部に噛み込む危険性が高かった。このような異物の噛み込みは切断不良や故障の原因となるため、使い勝手が悪く、頻繁にメンテンスを行う必要があった。
【０００５】
そこで、上記の不具合を解消するような切断機の開発が求められており、この発明は、使用性及びメンテナンス性に優れた新たなショベル系掘削機用の切断機の提供を目的とする。
【０００６】
【課題を解決するための手段】
上記課題を解決するため、この発明は、ショベル系掘削機のアーム先端に取り付けられる切断機であって、横方向に間隔をあけて多数列設されるか、若しくは、横方向に所定の長さを有するように一体となって設けられた切断部と、この切断部を被切断物に打ち付けるように、切断部を往復動させるシリンダー機構とを備えていることを特徴とする。
【０００７】
また、切断機本体に対して横方向に移動可能に設けられたスライド体と、このスライド体を移動させるためのスライド用駆動機構とを備え、前記切断部がスライド体に取り付けられている。
【０００８】
さらに、切断機本体に対して昇降可能に設けられた昇降体と、この昇降体を昇降させるための昇降用駆動機構とを備え、前記スライド体が昇降体に取り付けられている。
【０００９】
そして、前記切断機本体は、ショベル系掘削機のアーム先端に旋回機構を介して旋回可能に取り付けられている。
【００１０】
加えて、前記切断機本体を地盤に対して固定するための固定具が設けられている。
【００１１】
【発明の実施の形態】
（第１実施形態）
この発明の第１実施形態に係る切断機（１）は、図５に示すように、バックホー等のショベル系掘削機（２）のアタッチメントとして使用されるものである。
【００１２】
そして、この切断機（１）は、図１乃至４に示すように、切断部である複数のハンマー（８）（８）…が、横方向に間隔をあけて多数列設されており、これらハンマー（８）（８）…を石材やコンクリート等の被切断物に打ち付けるように、ハンマー（８）（８）…を往復動させるシリンダー機構（４０）（４０）…とを備えている。
【００１３】
また、切断機（１）は、切断機本体（５）に対して横方向に移動可能に設けられたスライド体（７）と、このスライド体（７）を移動させるためのスライド用駆動機構（９）とを備え、前記ハンマー（８）（８）…がスライド体（７）に取り付けられている。
【００１４】
さらに、切断機（１）は、切断機本体（５）に対して昇降可能に設けられた昇降体（６）と、この昇降体（６）を昇降させるための昇降用駆動機構（３４）とを備え、前記スライド体（７）が昇降体（６）に取り付けられている。
【００１５】
切断機本体（５）は、例えば矩形の天面プレート（２０）と、この天面プレート（２０）の下面における左右両端部から垂下するように設けられた互いに対向する一対の側面プレート（２１）（２１）とを備えている。これら側面プレート（２１）（２１）の下端部における前端部間には、連結プレート（３０）が跨って設けられている。側面プレート（２１）は、その前面側が例えばＬ字状に、後面側が例えば円弧状にそれぞれ切り欠かれており、側面から見て概略Ｔ字状に形成されている。
【００１６】
また、天面プレート（２０）の上面には、旋回機構（１０）が設けられている。旋回機構（１０）は、前記掘削機（２）のアーム（３）先端に取り付けられる一対の垂直プレート（１２）（１２）と、これら垂直プレート（１２）（１２）の下端部間に跨って取り付けられた略円形の支持プレート（１３）と、この支持プレート（１３）の下面周端部に固定された例えば円環状の外側回転支持体（１４）と、天面プレート（２０）の上面に固着された例えば円環状の内側回転体（１５）とを備えている。
【００１７】
内側回転体（１５）は、外側回転支持体（１４）の内周に回転自在に嵌合されている。ここで、内側回転体（１５）の外周面と、外側回転支持体（１４）の内周面とは、上端部が長径となるような二段形状となっており、内側回転体（１５）の上端部に形成された段部の下面が、外側回転支持体（１４）の下端部に形成された段部の上面に支持されるようになっている。従って、内側回転体（１５）が、外側回転支持体（１４）から外れ落ちないようになっている。
【００１８】
また、内側回転体（１５）は、その内周面において図示しない内歯を備えた内歯型回転ギアとなっている。天面プレート（２０）の上面には、例えば油圧駆動式の旋回モータ（１１）が設けられており、そのモータ軸に連結された図示しないモータギアが、内側回転体（１５）の内歯に対して噛み合うようになっている。
【００１９】
そして、旋回モータ（１１）が駆動すると内側回転体（１５）が回転し、それに伴って、切断機本体（５）がアーム（３）に対して旋回するようになっている。
【００２０】
一対の垂直プレート（１２）（１２）は、互いに対向するように設けられており、それぞれの垂直プレート（１２）の上端部には、アーム（３）先端を取り付けるピンと、アーム（３）に連結されるリンク（４）先端を取り付けるピンとを挿通させるための挿通穴（１６）（１６）が設けられている。
【００２１】
このようにして、切断機本体（５）は、アーム（３）先端に旋回可能且つ着脱可能に取り付けられるようになっている。すなわち、切断機本体（５）がアーム（３）に対して旋回できるようになっているので、掘削機（２）自体を移動させなくても、切断面の方向を変えることが可能となっており、作業性の向上を図ることが可能となっている。また、切断機（１）は、アーム（３）に対して着脱可能となっているので、交換時やメンテナンス時の作業性に優れている。
【００２２】
さらに、天面プレート（２０）の下面には、固定用シリンダ（２４）がシリンダ本体側において取り付けられており、上下方向に伸縮するようになっている。この固定用シリンダ（２４）のロッド側には、固定用シャフト（２８）が連結されている。固定用シャフト（２８）は、その下端部が円錐状に尖った形状となっており、例えば円筒状のシャフトガイド（２９）によって上下動可能に案内されている。このシャフトガイド（２９）は、前記連結プレート（３０）の後面に固着されている。
【００２３】
そして、固定用シリンダ（２４）を伸長させて、固定用シャフト（２８）の下端部を地盤に食い込ませることで、切断機本体（５）を地盤等に対して固定できるようになっている。このように、固定用シリンダ（２４）及び固定用シャフト（２８）が切断機本体（５）の固定具として機能するようになっているため、石材等の切断作業中における切断機本体（５）のぶれを防いで切断面を精度良く形成できるとともに、石材等における切断部分の正確な位置決めができるようになっている。
【００２４】
前記昇降体（６）は、横方向に延びるブロック状に形成されており、前面側に開放した係合溝（３２）を備えている。この係合溝（３２）は、例えば概略断面倒Ｔ字状に形成されている。
【００２５】
そして、前記昇降用駆動機構（３４）は、上下方向に伸縮可能な油圧シリンダから構成されており、この昇降用シリンダ（３４）は、そのシリンダ本体側が前記天面プレート（２０）下面に取り付けられ、ロッド側が昇降体（６）上面に取り付けられている。そして、昇降用シリンダ（３４）が伸縮するのに伴って、昇降体（６）が切断機本体（５）に対して昇降するようになっている。
【００２６】
また、左右一対の案内シャフト（３７）（３７）が、それぞれ昇降体（６）の上面から立ち上がるように設けられており、シャフトガイド（３１）（３１）によって昇降可能に案内されている。これらシャフトガイド（３１）（３１）は、それぞれ側面プレート（２１）（２１）の下端部に固着されており、例えば円筒状に形成されている。
【００２７】
前記スライド体（７）は、前記昇降体（６）に沿って横方向に延びるブロック状に形成されている。そして、スライド体（７）の後面には、例えば概略断面倒Ｔ字状の係合突起（３３）が形成されており、この係合突起（３３）は、昇降体（６）の係合溝（３２）に横方向にスライド自在に係合されている。また、スライド体（７）の上部には、エアハンマーである前記シリンダー機構（４０）（４０）…を設置するための設置部（３９）が、上方に突出して設けられている。
【００２８】
スライド体（７）を移動させるための前記スライド用駆動機構（９）は、スライドモータ（４５）と、このモータ（４５）の駆動力を伝達するリンク（３５）とから構成されている。スライドモータ（４５）は、昇降体（６）の上面に設けられたモータ固定台（４４）上に固定されている。
【００２９】
前記リンク（３５）は、スライドモータ（４５）のモータ軸（４６）に固定された第１杆（４７）の一端部において、第２杆（４８）の一端部が回転自在に連結されて、この第２杆（４８）の他端部において前面側に突出するようにして設けられた連結軸（４９）が、前記スライド体（７）の設置部（３９）後面に回転自在に連結されることによって構成されている。
【００３０】
このようにしてリンク（３５）を介してスライドモータ（４５）に連結されたスライド体（７）は、スライドモータ（４５）を駆動させることにより、昇降体（６）に対して横方向にスライド移動するようになっている。
【００３１】
また、スライド体（７）の設置部（３９）上面には、複数のシリンダー機構（４０）（４０）…が、横方向に連続するようにして設けられている。
【００３２】
さらに、スライド体（７）を上下方向に貫通するようにして、複数の連結ロッド（４１）（４１）…が、スライド体（７）のスライド方向に間隔をあけて設けられている。そして、それぞれの連結ロッド（４１）（４１）…は、スライド体（７）から垂下するようにして下方に延びており、その下端において、例えば円柱状のハンマー（８）（８）…が固着されている。このような取付け状態におけるハンマー（８）（８）…は、スライド体（７）のスライド方向に等間隔をあけて設けられており、略一直線上に列設されている。
【００３３】
そして、シリンダー機構（４０）を駆動させると、連結ロッド（４１）の上端が打撃されて、この打撃によって、連結ロッド（４１）に連結されたハンマー（８）が、上下方向に振動するようになっている。
【００３４】
なお、シリンダー機構（４０）は、エアハンマー本体内に設けられたシリンダ内を摺動するピストンが、供給される圧縮エアによって往復運動を行い、このピストンが、エアハンマー本体の下方において、連結ロッド（４１）上端を打撃するようになっている。
【００３５】
また、それぞれの連結ロッド（４１）（４１）…は、スライド体（７）とハンマー（８）（８）…との間に設けられた例えば角柱状のロッド補強材（４２）を、上下動自在に貫通している。このロッド補強材（４２）は、補強プレート（４３）を介してスライド体（７）に連結されている。補強プレート（４３）は、その上端部がスライド体（７）に埋め込まれて固定されており、下端部前面がロッド補強材（４２）の後面に固着されている。従って、それぞれの連結ロッド（４１）（４１）…が、岩等の切断作業による衝撃等によって歪んだりすることを防いで、連結ロッド（４１）（４１）間の間隔を一定に保持することができるようになっている。
【００３６】
この実施形態における切断機（１）は、以上のような取付け状態において、切断機本体（５）を地盤等に固定させた状態で、ハンマー（８）（８）…が石材等の被切断物に当接するように昇降体（６）を下降させ、且つ、スライド体（７）を横方向にスライド移動させながら、ハンマー（８）（８）…を振動させることによって、前記石材等を切断するようになっている。
【００３７】
なお、スライド用駆動機構（９）は、スライド体（７）の横方向へのスライド移動距離が、隣り合うハンマー（８）（８）間の隙間長さよりも長くなるように設定されており、切断機（１）を移動させなくてもスライド体（７）のスライド方向に連続する切断面を形成できるようになっている。
【００３８】
従って、一度切断部分の位置決めを行ったときに形成される切断面が、スライド体（７）のスライド方向に長く連続することになるので、切断機（１）を頻繁に移動させながら切断する必要がなく、短時間で効率よく切断作業を行うことができるようになっている。
【００３９】
しかも、複数のハンマー（８）（８）…が、いずれもスライド体（７）のスライド方向において同一直線上に設けられているので、切断面に凹凸が生じにくく、容易に切断面をほぼ直線上に精度良く仕上げることができるようになっている。
【００４０】
（第２実施形態）
この発明の第２実施形態に係る切断機（５１）は、図１０に示すように、バックホー等のショベル系掘削機（２）のアタッチメントとして使用されるものである。
【００４１】
そして、この切断機（５１）は、図６乃至９に示すように、切断部（５８）が横方向に所定の長さを有するように一体となって設けられており、この切断部（５８）を石材やコンクリート等の被切断物に打ち付けるように、切断部（５８）を往復動させるシリンダー機構（９０）とを備えている。
【００４２】
また、切断機（５１）は、切断機本体（５）に対して横方向に移動可能に設けられたスライド体（５７）と、このスライド体（５７）を移動させるためのスライド用駆動機構（５９）とを備え、前記切断部（５８）がスライド体（５７）に取り付けられている。
【００４３】
さらに、切断機（１）は、切断機本体（５）に対して昇降可能に設けられた昇降体（５６）と、この昇降体（５６）を昇降させるための昇降用駆動機構（３４）とを備え、前記スライド体（５７）が昇降体（５６）に取り付けられている。
【００４４】
切断機本体（５）は、旋回機構（１０）を介して、アーム（４）先端に旋回可能且つ着脱可能に取り付けられるようになっている。
【００４５】
また、天面プレート（２０）の下面には、左右一対の固定用シリンダ（２４）（２４）が、シリンダ本体側において取り付けられている。それぞれの固定用シリンダ（２４）のロッド側には、固定用シャフト（２８）が連結されている。そして、これら固定用シャフト（２８）（２８）を上下動可能に案内するシャフトガイド（２９）（２９）は、それぞれ側面プレート（２１）（２１）の内側面より横方向に突出して設けられた固定プレート（７７）（７７）に固定されている。
【００４６】
前記昇降体（５６）は、横方向に延びるブロック状に形成されており、その上端部において、突出部（８５）が後方に突出して設けられている。
【００４７】
そして、前記昇降用駆動機構（３４）は、上下方向に伸縮可能な油圧シリンダから構成されており、この昇降用シリンダ（３４）は、そのシリンダ本体側が前記天面プレート（２０）下面に取り付けられ、ロッド側が昇降体（５６）の突出部（８５）上面に取り付けられている。そして、昇降用シリンダ（３４）が伸縮するのに伴って、昇降体（５６）が切断機本体（５）に対して昇降するようになっている。
【００４８】
また、左右一対の案内シャフト（３７）（３７）が、昇降体（５６）の上面から立ち上がるように設けられている。それぞれの案内シャフト（３７）は、上下一対のシャフトガイド（３１）（３１）によって昇降可能に案内されている。これらシャフトガイド（３１）（３１）…は、いずれも側面プレート（２１）（２１）の下端部に固着されている。
【００４９】
さらに、昇降体（５６）には、左右一対の長穴部（８１）（８１）が、前後方向に貫通するようにして前面側から見て例えば長円状に形成されている。
【００５０】
前記スライド体（５７）は、昇降体（５６）に沿って横方向に延びるブロック状に形成されており、その後面には、前記長穴部（８１）（８１）を前後方向に貫通するスライドピン（８３）（８３）が固着されている。このスライドピン（８３）は、前後方向に延びる例えば円柱状に形成されており、後端部において例えば円盤状の係止板（８４）を備えている。そして、この係止板（８４）が、昇降体（５６）後面に係止されているので、スライドピン（８３）に固着されたスライド体（５７）が、昇降体（５６）から離脱しないようになっている。
【００５１】
なお、スライド体（５７）が昇降体（５６）に対して横方向に移動可能となるように、スライドピン（８３）は、長穴部（８１）内において横方向にスライド自在な状態で遊嵌されている。また、長穴部（８１）（８１）の内側面には、例えばゴム等からなる緩衝材（８２）（８２）が固着されている。従って、切断作業時にスライド体（５７）が受ける振動や衝撃を、緩衝材（８２）が吸収して緩和することができるようになっている。
【００５２】
スライド体（５７）を移動させるための前記スライド用駆動機構（５９）は、横方向に伸縮可能な油圧シリンダから構成されている。このスライド用シリンダ（５９）は、そのシリンダ本体側が、昇降体（５６）上面より上方に突設されたスライド用シリンダ取付け部（９４）に取り付けられている。
【００５３】
また、スライド用シリンダ（５９）のロッド側の端部には、前面側に突出する連結軸（９６）が設けられている。さらに、スライド体（５７）の上面より上方に突設されたスライド用シリンダ連結部（９７）には、前後方向に貫通する連結穴（９８）が備えられており、この連結穴（９８）に前記連結軸（９６）が嵌着されている。そして、スライド用シリンダ（９５）を伸縮させることによって、スライド体（５７）が、昇降体（５６）に対して横方向にスライド移動するようになっている。
【００５４】
またさらに、スライド体（５７）の前面側下端部には、切欠き部（８６）が概略断面Ｌ字状に形成されている。そして、この切欠き部（８６）に嵌り込むようにして、取付けプレート（９１）が、例えばボルト（９３）（９３）…によってスライド体（５７）に固定されている。
【００５５】
また、スライド体（５７）から下方に延出する取付けプレート（９１）の下端には、前記切断部（５８）が固着されている。この切断部（５８）は、例えば概略断面逆三角形状に形成されており、横方向に連続するようにして設けられている。
【００５６】
そして、スライド体（５７）の上面には、エアハンマーであるシリンダー機構（９０）が設置されている。このシリンダー機構（９０）を駆動させると、スライド体（５７）の上面が、シリンダー機構（９０）によって打撃されるようになっている。この打撃によって、スライド体（５７）に固定された取付けプレート（９１）に振動が与えられ、取付けプレート（９１）に固着された切断部（５８）が、上下方向に振動するようになっている。
【００５７】
この実施形態における切断機（５１）は、以上のような取付け状態において、切断機本体（５）を地盤等に固定させた状態で、切断部（５８）が石材等に当接するように昇降体（５６）を下降させ、且つ、スライド体（５７）を横方向にスライド移動させながら、切断部（５８）を振動させることによって、前記石材等を切断するようになっている。
【００５８】
ここで、切断部（５８）は、スライド体（５７）のスライド方向に連続して設けられているので、第１実施形態に係る切断機（１）と同様に、切断機（５１）を移動させなくてもスライド方向に連続する切断面を形成できるようになっている。
【００５９】
なお、その他の構成及び効果は、第１の実施形態と同様であり、図において、第１の実施形態と同様の機能を有する部材については同符号を付してある。
【００６０】
また、第１実施形態のスライド用駆動機構において、スライドモータ（４５）を用いる代わりに、第２実施形態のスライド用シリンダ（９５）のように、油圧シリンダ等の伸縮を利用するようにしても良い。
【００６１】
逆に、第２実施形態のスライド用駆動機構において、スライド用シリンダ（９５）を用いる代わりに、第２実施形態のスライドモータ（４５）のように、油圧駆動モータ等を用いるようにしても良い。
【００６２】
さらに、第１実施形態と第２実施形態とのいずれにおいても、油圧や空気圧は、図示しない配管を介して、掘削機（２）側から供給されるようになっている。
【００６３】
この発明は、上記実施形態に限定されるものではなく、この発明の範囲内で上記実施形態に多くの修正及び変更を加え得ることは勿論である。
【００６４】
【発明の効果】
この発明の切断機は、ショベル系掘削機のアーム先端に取り付けて使用するものであり、エアハンマー等のシリンダー機構によって切断部を往復動させることにより、この切断部を石材等の被切断部に打ち付けて切断するものである。
【００６５】
従って、従来のような回転式のカッターを用いる場合のように、動作中の切断部が切断機の内部に入り込むような構造にはなっていないため、小石等の異物が駆動部に噛み込んだりする不具合が起こりにくく、切断不良や故障を防止できる効果を有している。すなわち、この発明によって、使用性及びメンテナンス性に優れた新たな切断機を提供できるようになっている。
【００６６】
また、この発明の切断機には、スライド用駆動機構が備えられており、スライド体が切断機本体に対して横方向に移動可能となっている。従って、スライド体に取り付けられた複数の切断部が、横方向に間隔をあけて設けられていても、スライド体を横方向にスライド移動させながら切断作業を行うことで、横方向に隙間のない連続した切断面を形成できるようになっている。
【００６７】
さらに、この発明の切断機には、昇降用駆動機構が備えられており、昇降体が切断機本体に対して昇降可能となっている。従って、切断作業中において、昇降体を下降させることで、昇降体に連結された切断部が、下方に向かって切断されていく被切断物を継続的に打ち付けることができるようになっている。
【００６８】
またさらに、切断機本体がアームに対して旋回できるようになっているので、掘削機自体を移動させなくても、切断面の方向を変えることが可能となっており、作業性の向上を図ることができるようになっている。
【００６９】
加えて、切断機本体を地盤に対して固定するための固定具が設けられているので、切断作業中において切断機本体がぶれることを防いで、切断面を精度良く形成できるようにするとともに、被切断物における切断部分の位置決めの確実性を向上させることができるようになっている。
【図面の簡単な説明】
【図１】この発明の第１実施形態に係る切断機の斜視図である。
【図２】同じくその正面図である。
【図３】同じくその断面図である。
【図４】この発明の第１実施形態に係るスライド用駆動機構を示す斜視図である。
【図５】この発明の第１実施形態に係る切断機の掘削機への取付け状態を示す側面図である。
【図６】この発明の第２実施形態に係る切断機の斜視図である。
【図７】同じくその分解斜視図である。
【図８】同じくその正面図である。
【図９】同じくその断面図である。
【図１０】この発明の第２実施形態に係る切断機の掘削機への取付け状態を示す側面図である。
【符号の説明】
（１）（５１）　切断機
（２）　ショベル系掘削機
（３）　アーム
（５）　切断機本体
（６）（５６）　昇降体
（７）（５７）　スライド体
（８）（５８）　切断部
（９）（５９）　スライド用駆動機構
（１０）　旋回機構
（２８）　固定具
（３４）　昇降用駆動機構
（４０）（９０）　シリンダー機構
【図１】
2004122373.tif 000003
【図２】
2004122373.tif 000004
【図３】
2004122373.tif 000005
【図４】
2004122373.tif 000006
【図５】
2004122373.tif 000007
【図６】
2004122373.tif 000008
【図７】
2004122373.tif 000009
【図８】
2004122373.tif 000010
【図９】
2004122373.tif 000011
【図１０】
2004122373.tif 000012